(57)【要約】【課題】シャツなどの胸ポケット内からの収納物の飛び出しを防ぐには、ポケット口をボタンなどで留めて防いでいたが、出し入れのたびにポケット口を開閉する不便な問題があった。【解決手段】胸ポケット内に仕切りとなる外壁１ａと、その外壁上端に連設して被覆壁2ａを持ち、その両壁間に横幅の一部を逆Ｖ字状に広げる拡開部材５ａを備え飛び出し防止構造体３５ａを形成し、同構造体とその構造体に対面する上衣本体４０間に上部開口幅７ａと下部開口幅８ａを形成する位置にそれぞれスナップ２０ａ，２０ｂを設け着脱自在に胸ポケット内に飛び出し防止構造体を取り付け、その上下に貫通した開口部間は胸ポケット４１ａの下方空間に連通している。そして、被覆壁外面を押し圧して上部開口部９ａの間口を広げ収納物４３ａを出し入れする。そして、納置された収納物上部は被覆壁の一部で常に覆った状態にして飛び出しを防ぐものである。【選択図】    図１
2010059594.tif 000002
【特許請求の範囲】
【請求項１】
衣服の内、シャツ又は作業用上衣又は運動用上衣（以下上衣と言う)の胸部外側に設けられている胸ポケットの内部に取り付ける収納物の飛び出しを防ぐ飛び出し防止構造体であって、
前記飛び出し防止構造体は前記胸ポケット内部の少なくとも一部空間を前後に仕切る外壁と、同外壁上部に設けられた被覆壁を備え、同被覆壁は前記胸ポケット内の外壁の身体側となる内側に収納される収納物の上面の少なくとも一部分を覆う形状で備えられ、その前記被覆壁は手動により前記収納物を覆わない形状に変形及び覆う形状に自動復元可能な構造となったことを特徴とする飛び出し防止構造体。
【請求項２】
前記外壁の少なくとも上部の一部と前記被覆壁の少なくとも一部は、変形及び復元自在の弾性体からなることを特長とする請求項１記載の飛び出し防止構造体。
【請求項３】
前記被覆壁は前記外壁の上端に取り付けられており、前記外壁と前記被覆壁との対面間に前記外壁に対し前記被覆壁の少なくとも一部又は全部を上部から下方に向かって広げる拡開部材を備えたことを特徴とする請求項１乃至２のいずれかに記載の飛び出し防止構造体。
【請求項４】
前記被覆壁を挟んで前記外壁に対面する内壁を備え、その前記内壁が前記外壁との間に上下に貫通する収納空間を形成して固設されていることを特徴とする請求項１乃至３のいずれかに記載の飛び出し防止構造体。
【請求項５】
前記飛び出し防止構造体に前記胸ポケット内に係止する係止部を備えたことを特徴とする請求項１乃至４のいずれかに記載の飛び出し防止構造体。
【請求項６】
請求項１乃至５のいずれかに記載の前記飛び出し防止構造体を前記胸ポケットに備えたことを特徴とする上衣。
【請求項７】
請求項５記載の前記飛び出し防止構造体に備えられている係止部を着脱自在に取り付ける被係止部を前記胸ポケット内に備えたことを特徴とする上衣。
【請求項８】
前記被係止部がスナップ又は面ファスナ−からなり、前記胸ポケット内上部の任意の横間隔位置に少なくとも一対備えたことを特徴とする請求項７記載の上衣。
【請求項９】
前記任意の横間隔位置に備えられた被係止部は上下に任意の高さ間隔で二対備えられ、前記二対の被係止部の内少なくとも下方の被係止部は一定の広さ有する係止壁材に備えられ、前記係止壁材の上部を前記胸ポケット内の前記上衣に取り付け、前記係止壁材の下方部と該下方部に備えられた前記被係止部が前記胸ポケット口近傍に変位自在となることを特徴とする請求項７及び８のいずれか１項に記載の上衣。
【請求項１０】
前記被係止部は、胸ポケットを形成する胸ポケット本体と同胸ポケット本体と対面する上衣の内、前記胸ポケット内上部の両側端近傍位置に前記胸ポケット本体と前記上衣を固着接続した固着接続部と、前記固着接続部と前記胸ポケット内両側端部との間に前記飛び出し防止構造体の係止部を挿入する挿入部を一対備えた構成からなることを特徴とする請求項７記載の上衣。
【発明の詳細な説明】
【技術分野】
【０００１】
本発明は、衣類のポケットの内、シャツ又は作業用上衣又は運動用上衣（以下上衣又は上衣本体と言う）等の胸部外側に設けられる上方開口の胸ポケットで、その胸ポケット内の収納物の飛び出し防止を図った胸ポケット内の飛び出し防止構造体とその前記構造体を備えた上衣に関する。
【背景技術】
【０００２】
従来の上衣の胸ポケットには、出し入れ時の使い勝手を重視した胸ポケット口が常時開いた胸ポケット構造のものと、胸ポケット口の一部又は全部をボタンやスナップ又は面ファスナ−やチャックなどで塞ぎ、前傾姿勢によるポケットからの収納物の飛び出しを防止する構造のものがある。
【０００３】
また、胸ポケット本体（胸ポケット形成部材）内側にその胸ポケット本体に固着し胸ポケット底部に向けてベロ-を設けたものがある。（例えば特許文献4参照）
【０００４】
【特許文献１】実開平０1−００２０２２
【特許文献２】実公昭３６-０２１９０７
【特許文献３】特開平１１-０８１０１７
【特許文献４】特開平０５-１２３２１４
【発明の開示】
【発明が解決しようとする課題】
【０００５】
以上に述べた胸ポケット口が常時開放した胸ポケットでは前傾姿勢などで収納物が飛び出し易いという問題があり、また、ボタンやスナップ及び面ファスナ−やチャックなどで胸ポケット口を塞ぐ方法では、塞ぎ部を出し入れのたびに開閉しなければならないという面倒しさを伴うものであった。
【０００６】
また、特許文献４で示す胸ポケット本体にべロ-を設けたものでは、ベロ-下端部を腰の弱い布地で胸ポケット本体より一定の間隔に安定して遊離させるのが図１〜図１６で示すいずれのベロ-形態においても困難である。特に今日主な収納物となる携帯端末など一定の重さと小さい横幅の収納物にあっては、前傾姿勢などで端末が飛び出そうとするとき重さによる一定の大きな飛び出す力が働き、胸ポケットの略内幅間に設けられた腰の弱いベロ-ではそのベロ-の変形は不規則なものとなり収納物を受け止めそれを保持するのは困難なものと思われる。
【０００７】
そして、一定の横幅の小さい携帯電話などの端末の収納物は、胸ポケットの内幅と端末の横幅との差の大きさにより胸ポケット内で姿勢が一定せず胸ポケットの型崩れの原因となり、更に胸ポケット内で収納物が傾いた状態では手先を深く胸ポケット内に挿入しなければならず取出し難いものであった。
【０００８】
本発明は、この様な従来の問題を解決しょうとするもので、従来の上方開口の胸ポケット内上部に収納物の飛び出しを受け止め、更に納置された収納物の姿勢を制御する飛び出し防止構造体を固着又はセパレ−ト構造に着脱自在の構成で設け、従来の胸ポケット本体の形状をほとんど変えることなく収納物の飛び出しを防ぐ上衣を提供することを目的とするものである。
【課題を解決するための手段】
【０００９】
そして、本発明は上記目的を達成するために図面に基づいて説明すると図１（Ａ）（Ｂ）（Ｃ）（Ｄ）で示す実施例では、上衣本体胸部外側に設けられている上方開口の胸ポケットで、同胸ポケット内上部に設ける飛び出し防止構造体の形状は、胸ポケット内上部の空間を前後に仕切る一定の縦長さと横幅を持つ下絞り変形四角形状の外壁と、同外壁上端に固着又は連設し前記外壁の縦長さより短い縦長さで外壁の内（身体）側に立ち下がる横長四角形状の被覆壁を設け、更に同被覆壁と前記外壁との対面間の一定の横幅間を、下方に向けて逆くＶ字状に広げる空間を設けるため、ゴムや樹脂などの板状弾性体を折り曲げ一定のばね力を持つ拡開部材を設けた構成から形成されている。（図１参照）
【００１０】
前記外壁の位置と縦長さは、胸ポケット内に納置される収納物（主に携帯電話機などの情報端末）の少なくとも上部前面の一部と重なるように形成され、前記被覆壁下端高さは、納置された収納物の上端よりやや上方の高さ位置になる形状となっている。（図１参照）
【００１１】
そして、前記外壁上部の一部と前記被覆壁の重ね接続の内、その外壁と被覆壁下端の一定の横間隔間に否取り付け部を設け、その否取り付け間に拡開部材の全部又は一部を設けている。（図１参照）
【００１２】
そして、飛び出し防止手段となる前記飛び出し防止構造体の胸ポケット内への取り付け形態は、飛び出し防止構造体とその構造体に対面する上衣本体の少なくとも上部と下部に一定の横幅でそれぞれ対の係止部と同係止部に係合する被係止部を備え、前記係止部を形成する飛び出し防止構造体側の係止部材は面ファスナ−又はスナップなどからなり、そして上衣本体に面ファスナ−又はスナップなどの係止部材からなる被係止部を備え、前記係止部及び被係止部を介して胸ポケット内に飛び出し防止構造体を着脱自在に取り付けている。（図１参照）
【００１３】
上部と下部に係止部を備えた前記飛び出し防止構造体とその構造体と対面する上衣本体間において、前記上部の係止部材の取り付け横間を飛び出し防止構造体の入口となる上部開口部とし、下部の係止部材の取り付け間を収納物の姿勢を制御するため収納物の横幅よりやや広い下部開口部とし、前記両開口部高さ間は上下に貫通した収納空間を形成し、その空間は胸ポケット下方空間に連通し、胸ポケット内上部において前記飛び出し防止構造体の内側と外側に入口と収納空間を前後に分割して備える構成としている。（図１参照）
【００１４】
また、前記外壁と前記被覆壁の間に拡開部材を設けない場合又はばね力の弱い拡開部材を設けた場合では、少なくとも外壁上部と被覆壁の一部は一定の弾力を持つ弾性体の材質から形成され、被覆壁下方部に一定の空間を設けるものとしている。
【００１５】
また、外壁上部に設ける被覆壁の変形例では、図４〜図６で示す外壁上部の中央部に被覆壁を支持する基材を固着又は着脱自在に設け、その基材上部と被覆壁上部をヒンジで連結し、基材に対し前記ヒンジを基点に被覆壁を逆Ｖ字状の一定の開き角度に回転自在に広げ、その一定の開き角度状態を保持する為前記基材と被覆壁との間に板状の金属又は弾性体の樹脂板又は線状の金属等のばね作用の働きをする拡開部材を備えている。
【００１６】
そして、飛び出し防止手段となる前記飛び出し防止構造体の上衣本体への取り付け変形例では、図４で示す外壁の左右両端高さ間を上衣本体に縫製接続で取り付け上衣本体と外壁との間に上下に貫通する収納空間を形成している。
【００１７】
また、図７〜図９で示す別の飛び出し防止構造体の形状では、前記被覆壁を挟んで前記外壁と向かい合わせに内壁を設け、その内壁と前記外壁の両側端を固設し、その固設内側の前記向かい合わせの高さ間に上下に貫通する収納空間を設けた構成で飛び出し防止構造体を形成している。更に前記構造体の前記内壁の外面（上衣本体側)上部にスナップや面ファスナ−等の係止部材からなる係止部を一定の横間隔を有する位置に少なくとも一対設けた飛び出し防止構造体構成としている。
【００１８】
そして、胸ポケット内には前記飛び出し防止構造体に設けられている係止部に対面する位置に前記係止部が係合するスナップ又は面ファスナ−等の係止部材からなる被係止部が設けられ、前記飛び出し防止構造体が胸ポケット内に着脱自在に取り付けられるものとなっている。また図１１で示す胸ポケット内上部両側端近傍位置に、胸ポケット本体とその胸ポケット本体に対面する上衣本体の一部を縫製接続した固着接続部とその固着接続部と胸ポケット内側端間に挿入部を設けた構成で被係止部を形成し、その被係止部に前記飛び出し防止構造体上部両端に備えられている係止部を形成するフック状の係止部材を掛け止めして胸ポケット内に飛び出し防止構造体を着脱自在に備えられる様にいる。
【００１９】
また、図１２で示す胸ポケット内の上衣本体に被係止部を備える為の係止壁材を設け、同係止壁材の上部と下部にそれぞれ一対のスナップ又は面ファスナ−などの係止部材を設け、その係止部材を設けた係止壁材の上方部を上衣本体に固着し、スナップ又は面ファスナ−などの係止部材を設けた下方部の係止壁材を否取り付けのフリ−な状態とし、その否取り付けの係止壁材下方部を図１３で示すごとく胸ポケット入り口近傍の上方に引き出し下方部のスナップ又は面ファスナ−などからなる被係止部の留め外しの操作を容易にするものとしている。
【００２０】
そして、前記飛び出し防止構造体を備えた胸ポケット内に主な収納物である携帯電話機を挿入する場合、図１（Ｂ)で示す様に下方に向かって任意の開き角度で拡開して入り口を塞いだ被覆壁を収納物又は指先で押し圧しながら間口を広げ挿入すると、収納物の上方部分は飛び出し防止構造体の収納空間内に配置され、収納物下方部は胸ポケット下方空間に配置される納置状態となる。そして、被覆壁への押し圧を解除すると被覆壁の開き角度は拡開部材のばね力により、挿入まえの状態に自然復元し、収納物の上部の少なくとも一部を覆う状態となる。
【００２１】
上記納置状態において、図２、図３で示す様に前傾姿勢になると、収納物は胸ポケット内から飛び出そうとすると、一定の拡開空間を持つ被覆壁の少なくとも一部で受け止められ、この場合被覆壁が収納物の飛び出そうとする圧力で上方にめくれようとするのを、外壁と被覆壁との間の空間横端部となる図１(Ａ)の外壁と被覆壁の重ね接続端部ａ点とｂ点位置で、被覆壁の一定以上の開きを防ぎ収納物の飛び出しを防止するものとしている。
【発明の効果】
【００２２】
上述した様に本発明の胸ポケットは、上方開口の胸ポケット内に飛び出し防止手段となる飛び出し防止構造体を設けることで、その構造体の内側と外側に収納空間を形成し、飛び出しを制御する内側の収納空間に対し、外側の収納空間は従来の上方開口の胸ポケットとしての機能を維持するものとなっている。
【００２３】
そして、飛び出し防止構造体を形成する外壁と被覆壁の間に一定の強さのばね力を持つ拡開部材を設けることにより、前記外壁と被覆壁間に一定の間隔(空間)が常時形成され前傾姿勢時の収納物の上端を空間内に案内し、被覆壁で確実に受け止めるものとしている。
【００２４】
そして、外壁の下端高さは、納置した収納物の上端高さより低く、外壁と収納物に一定の重なり代を設けているため、収納物は常に飛び出しの防止を図る外壁の内側に納置状態を保つこととなる。そして、飛び出し防止構造体の収納空間下端の開口幅は収納物の横幅よりやや大きい開口幅にして収納物の姿勢を直立状態に姿勢制御し、胸ポケットの型崩れを防ぐとともに直立した収納物の上端は胸ポケット口近くに配置されるため胸ポケット内からの収納物の取り出しを容易にしている。
【００２５】
そして、拡開部材は弾性体の樹脂あるいは金属から形成された一定の曲げ強さを持ったばね体からなっているため、収納物の出し入れ時に入口を塞いでいる被覆壁の壁面を押し圧することにより、拡開部材のばね作用で縮小及び自然復元する間口の調整が容易で使い勝手の良いものとなっている。
【００２６】
また、被覆壁にヒンジを設けると、被覆壁の横幅を一定の小さい幅にしてその被覆壁の開き角度を収納物の飛び出しを防ぐ最良と思われる一定の開き角度に形成するのが容易で、更に前記被覆壁を取り外し式にすると飛び出し防止構造体の出っ張り部が減少し、梱包や洗濯時に邪魔になるのを防ぐことができる。
【００２７】
そして、飛び出し防止構造体を着脱自在なセパレ−ト構造にすると、胸ポケット内に飛び出し防止構造体を取り付ける被係止部を設けるのみの安価なコストで上衣を得ることができ、飛び出し防止構造体を一個保有することでその構造体を本発明の複数の上衣に取り付け使用する効果を得るものである。
【００２８】
また、内壁を設けない取り外し式の飛び出し防止構造体で、その構造体を少なくとも上下に二対の四点支持で胸ポッケット内に設けると、取り付けの安定を図るとともに上方の支持(係止部)間で収納口を形成し、下方部の係止部の横間隔内で収納物の姿勢を制御することができる。そして、上衣本体側に設ける少なくとも下方部の被係止部を変位自在の係止壁材に設けると、被係止部を胸ポケット入り口近傍に移動（変位)させることで、飛び出し防止構造体下方部の係止部の着脱が容易となる。  
【００２９】
また、飛び出し防止構造体を取り外し式にすると、上衣の梱包や洗濯時に傷めたり邪魔になるのを抑制できる。
【００３０】
また、胸ポケット本体と上衣本体を固着接続した被係止部構造では、最も簡単で安価に上衣に被係止部を備えることができるものである。
【発明を実施するための最良の形態】
【００３１】
以下、本発明の実施の形態を図１〜図１４に基づいて説明する。
【００３２】
図１の内（Ａ）は本発明の上衣の胸ポッケットに収納物を挿入納置した実施例の正面図を示し、（Ｂ）は（Ａ）の縦断面図を示し、（Ｃ）は（Ａ)の平面図を示し、（Ｄ)は（Ｂ)の飛び出し防止構造体上部の姿図の変形例を示す拡大図である。
上衣本体４０の胸部外側に上方開口の胸ポケット４１ａを設け、同胸ポケット内上部に設ける飛び出し防止構造体３５ａは、一定の横幅と一定の高さを有する外壁１ａと、同外壁上端に連設し同外壁内（上衣本体４０）側下方に一定の立下り高さを有する形状で折り返してなる被覆壁２ａを設け、同被覆壁と前記外壁との対面間に同被覆壁と外壁の横幅間の一部を逆Ｖ字状に広げる弾性体からなる拡開部材５ａを設け、同拡開部材の横幅両側端近傍のａ点とｂ点間を否取り付け部（拡開部)１４ａ間とし、前記否取り付け部（拡開部)外の前記外壁と被覆壁の重ね部の少なくとも前記ａ点とｂ点部又はａ点とｂ点位置から左右外側の少なくとも一部間を固着接続した構成としている。したがって拡開部材は弾力性を持った平坦板状のものを取り付けると、少なくとも前記ａ点とｂ点の接続で拡開部材は一定のばね力が働く逆Ｖ字状又は逆Ｕ字状の形状に変形保持され外壁と被覆壁の対面間が拡開される。
【００３３】
そして、上記構成の飛び出し防止構造体３５ａの胸ポケット内への取り付け形態は、少なくとも外壁１ａと被覆壁２ａの上部の上部開口幅７ａと外壁下部の下部開口幅８ａを形成する位置で、その位置の飛び出し防止構造体側に係止部を形成するスナップ２０ａからなる係止部材を設け、前記スナップ位置と向かい合わせの上衣本体４０側に被係止部を形成するスナップ２０ｂからなる係止部材を設け、前記スナップを介して胸ポケット内に着脱自在になる構成で飛び出し防止構造体を取り付けている。そして、上下に貫通した収納空間となった上部開口部９ａと下部開口部１０ａ間はポケット内下方の空間と連通している。
【００３４】
そして、上記構成の胸ポケット４１ａの飛び出し防止構造体３５ａの内側に収納物４３ａを出し入れする場合、挿入する時は主に被覆壁２ａ外面を収納物又は指先で押し圧し又取り出す時は指で押し圧すると、図（Ｄ）で示すように一定のばね力を持つ弾性体からなる拡開部材５ａの逆Ｖ字状の開き角度１１ａが小さい開き角度１１ｂとなり、上部開口部の間口が広がり出し入れが容易となる。そして、被覆壁２ａへの押し圧が解除されると拡開部材のばね力で広がり角度は元に戻り入口の一部を塞いだ状態を保つ。
【００３５】
そして、飛び出し防止構造体３５ａ内側に納置された収納物の上部前面部は、外壁１ａ下方と少なくとも一定の高さ重なり確実に飛び出し防止構造体内側で、逆Ｖ字状に広がった被覆壁の下方に収納物の上面の全部又は一部が覆われた状態に位置することとなる。そして、外壁１ａ下部の下部開口幅８ａを収納物の横幅よりやや大きい横幅にして収納物の姿勢を制御するものとしている。
【００３６】
図２は上衣本体４０の胸ポケット４１ａに収納物４３ａを収納して前傾姿勢になった状態を示す一部断面の側面図で、図３は前傾姿勢時の胸ポケット部の拡大詳細を示す図である。一定の傾斜角度で前傾すると飛び出し防止構造体３５ａ内側の収納物は、胸ポケットから飛び出そうとするのを外壁１ａに支えられた拡開部材５ａで逆Ｖ字状に広げられた被覆壁２ａで受け止め飛び出しを防ぐ。
【００３７】
図４、図５、図６の内図４は、図１（Ａ）の変形例を示す本発明の飛び出し防止構造体３５ｂを備えた胸ポケット４１ｂの正面図を示し、図５は図４のＡ１-Ａ１線の平面図を示し、図６は図４のＡ２−Ａ２線の縦断面図を示す。
上方開口の胸ポケット内上方部に設ける飛び出し防止構造体３５ｂの形状は、胸ポケット内上部の空間を前後に仕切る一定の横幅と一定の高さを有する外壁１ｂと、同外壁上部の上衣本体４０側の中央部に一定の横幅と高さを持つ基板２８を設け、同基板の上端と被覆壁２ｃの上端を一対のヒンジ２９で連結し、前記基板２８と前記被覆壁２ｃとの対面間の一部に板状弾性体からなる拡開部材５ｃを折り曲げ一定のばね力が働く構成で設け、前記ヒンジ２９を支点に前記基板に対し前記被覆壁を一定の開き角度１１ｅ内で回転自在にしている。
【００３８】
そして、前記外壁１ｂの両側端高さ間を上衣本体４０に縫製接続し、前記外壁上端の上部開口幅７ｃと下端の下部開口幅８ｃを設けた構成で外壁１ｂと上衣本体４０の対面間に上下に貫通する収納空間１３ｃを形成し、同収納空間は胸ポケット内下方空間に連通している。
【００３９】
図７、図８、図９、図１０の内図７は、図１（Ａ)の変形例を示す本発明の飛び出し防止構造体３６ａを備えた胸ポケット４１ｃの正面図を示し、図８は図７のＡ３-Ａ３線の平面図を示し、図９は図７のＡ４−Ａ４線の縦断面図を示し、図１０は図９の変形例を示す。
上方開口の胸ポケット内上方部に設ける飛び出し防止構造体３６ａの形状は、一定の横幅と一定の高さを有する外壁１ｃと、同外壁上端に連設し上衣本体４０側に一定の立下り高さを有する横長四角形状の被覆壁２ｂを設け、同被覆壁と前記外壁との対面間に前記被覆壁と前記外壁の横幅間の一部を逆Ｖ字状又は逆Ｕ字状に広げる弾性体からなる拡開部材５ａを設け、同拡開部材の横幅両側端近傍のａ点とｂ点間を否取り付け部（拡開部)１４ｂ間とし、前記外壁と前記被覆壁下方部の少なくとも前記ａ点とｂ点部又はａ点とｂ点から左右外側の少なくとも一部間を重ね固着接続した構成としている。
【００４０】
そして、前記上辺と下辺が平行な下絞り形状の外壁１ｃとその外壁に連設する被覆壁２ｂとに向かい合わせに内壁３を設け、同内壁の取り付け形状は前記外壁及び被覆壁の縦側辺形状成りに固着接続し、上端のｃ点とｄ点間の上部開口幅７ｂ間内に上部開口部９ｂを形成し、下端のｅ点とｆ点間の下部開口幅８ｂ間内に下部開口部１０ｂを形成し、前記上部開口部と前記下部開口部間は上下に貫通し収納空間１３ｂを形成し、同収納空間は胸ポケット内下方の空間に連通している。
【００４１】
そして、前記飛び出し防止構造体３６ａを形成する内壁３と、その内壁に対面する上衣本体４０には、一定の横間隔１８位置にそれぞれ係止部材及び被係止部となる面ファスナ−２１ａ、２１ｂの係止部材が一対固着して設けられ、前記内壁上部と上衣本体の係止部材を介して上衣本体に着脱自在の構成で飛び出し防止構造体３６ａを取り付けている。
【００４２】
そして、図９で示す飛び出し防止構造体３６ａの外壁と内壁間内に納置された収納物４３ａの上端面と被覆壁２ｂの下端間に一定の隙間１６ａを設ける構成とし、図７で示す収納物の上部前面と飛び出し防止構造体の外壁１ｃ下方部は一定の重なり代１９を有した形状とし、飛び出し防止構造体の下部開口幅８ｂを収納物４３ａの横幅よりやや大きい開口幅にして収納物の姿勢制御をするものとしている。
【００４３】
そして、図１０で示す上衣本体４０に設ける被係止部を形成する面ファスナ−２１ｂからなる係止部材を縦長にし、収納物４３ｂの背丈が低い場合に収納物の上端と被覆壁２ｂ下端との隙間１６ｂが大きくなり取り出し難くならない様、飛び出し防止構造体３６ａの取り付け高さをストロ−ク１７間で調整可能なものとしている。
【００４４】
図１１は、図７の飛び出し防止構造体の係止部と上衣本体の被係止部の変形例で、飛び出し防止構造体３６ｂの上部両端に係止部となるフック２２を備え、胸ポケット４１ｄ内上部両側端近傍の胸ポケット本体４２と上衣本体４０の一部を縫製接続した固着接続部２３と、同固着接続部と胸ポケット内側端との間に挿入部２７を設けて被係止部を形成し、前記被係止部に前記飛び出し防止構造体の前記フック２２を掛け留めし、胸ポケット４１ｄ内に飛び出し防止構造体３６ｂを着脱自在に取り付けられる構成としている。
【００４５】
図１２は胸ポケット４１ｅ内に設ける被係止部は一定の広さを有する係止壁材４に設けられ、その係止壁材４の上部の一定の横間隔位置と下部のやや狭い横間隔位置にそれぞれ被係止部を形成する一対のスナップ２０ｂを設け、前記一対の被係止部を備えた前記係止壁材４の上部を胸ポケット４１ｅ内上部の上衣本体４０に縫製で取り付け、前記係止壁材４下方の否取り付け部１４ｃ高さ間に一対の被係止部を備えた係止壁材下方部を、図１３で示す胸ポケット入り口近傍に変位自在としている。
【００４６】
図１４の（Ａ)（Ｂ)は面ファスナ−を用いた拡開部材５ｂの一実施の組み立て例を示し、(Ａ)は内材６ａを折り曲げ外材６ｂを内材に沿って外側から折り曲げ接続し解放すると、(Ｂ)で示す一定の開き角度１１ｃの逆Ｖ字状の拡幅部材５ｂを形成し、少なくとも開き角度１１ｃと開き角度１１ｄの角度間でばね力が働く構成としている。よって、収納物が一定の重さを持つ携帯電話機などで被覆壁に強い飛び出し圧力がかかる場合では、本図の一定の開き角度以上に開きにくい一定のばねの強さ持つ拡開部材５ｂを用いると目的の達成に安定した効果を得やすいものとなる。したがって拡開部材はばね力が強いと収納物の飛び出し時の圧力を安定して受け止め被覆壁の開きを抑える効果を発揮するが、他方被覆壁の拡開を閉じようとする場合では大きな力が必要となる欠点が生じ、ばね力の強さのバランスを十分考慮する必要がある。
【図面の簡単な説明】
【００４７】
【図１】本発明の飛び出し防止構造体を備えた上衣の胸ポケットとその胸ポケットに収納物を収納する形態を示し、（Ａ）はその正面図（Ｂ）はその縦断面図（Ｃ)はその平面図（Ｄ)は飛び出し防止構造体上部の拡大縦断面図
【図２】本発明の上衣の前傾姿勢の使用例を示す要部縦断面図
【図３】図２の要部拡大図
【図４】図１の胸ポケットの変形例を示す正面図
【図５】図４のＡ１−Ａ１線の平面図
【図６】図４のＡ２−Ａ２線の断面図
【図７】図１の胸ポケットの変形例を示す正面図
【図８】図７のＡ３−Ａ３線の平面図
【図９】図７のＡ４−Ａ４線の断面図
【図１０】図９の変形例を示す図
【図１１】本発明の実施例と飛び出し防止構造体の取り付け例を示す正面図
【図１２】胸ポケット内の被係止部例を示す正面図
【図１３】図１２の操作例を示す正面図
【図１４】拡開部材の一実施の組み立て例を示し、(Ａ)は組み立て例の側面図(Ｂ)は組み立て後の側面図
【符号の説明】
【００４８】
１ａ：外壁
１ｂ：外壁
１ｃ：外壁
２ａ：被覆壁
２ｂ：被覆壁
２ｃ：被覆壁
３  ：内壁
４  ：係止壁材
５ａ：拡開部材
５ｂ：拡開部材
５ｃ：拡開部材
６ａ：内材
６ｂ：外材
７ａ：上部開口幅
７ｂ：上部開口幅
７ｃ：上部開口幅
８ａ：下部開口幅  
８ｂ：下部開口幅
８ｃ：下部開口幅
９ａ：上部開口部
９ｂ：上部開口部
１０ａ：下部開口部
１０ｂ：下部開口部
１１ａ：開き角度
１１ｂ：開き角度
１１ｃ：開き角度
１１ｄ：開き角度
１１ｅ：開き角度
１２：空間
１３ａ：収納空間
１３ｂ：収納空間
１３ｃ：収納空間
１４ａ：否取り付け部(拡開部)
１４ｂ：否取り付け部(拡開部)
１６ａ：隙間
１６ｂ：隙間
１７：ストロ−ク
１８：横間隔
１９：重なり代
２０ａ：スナップ（係止部)
２０ｂ：スナップ(被係止部)
２１ａ：面ファスナ−係止部)
２１ｂ：面ファスナ−(被係止部)
２２：フック(係止部)
２３：固着接続部(被係止部)
２７：挿入部(被係止部)
２８：基板
２９：ヒンジ
３５ａ：飛び出し防止構造体
３５ｂ：飛び出し防止構造体
３６ａ：飛び出し防止構造体
３６ｂ：飛び出し防止構造体
４０：上衣本体
４１ａ：胸ポケット
４１ｂ：胸ポケット
４１ｃ：胸ポケット
４１ｄ：胸ポケット
４１ｅ：胸ポケット
４２：胸ポケット本体
４３ａ：収納物
４３ｂ：収納物
【図１】
2010059594.tif 000003
【図２】
2010059594.tif 000004
【図３】
2010059594.tif 000005
【図４】
2010059594.tif 000006
【図５】
2010059594.tif 000007
【図６】
2010059594.tif 000008
【図７】
2010059594.tif 000009
【図８】
2010059594.tif 000010
【図９】
2010059594.tif 000011
【図１０】
2010059594.tif 000012
【図１１】
2010059594.tif 000013
【図１２】
2010059594.tif 000014
【図１３】
2010059594.tif 000015
【図１４】
2010059594.tif 000016